(57)【要約】【課題】１つの画面を構成する複数のＬＣＤにおける濃淡差を簡便に低減させること。【解決手段】隣接させて、１つの表示領域２０を構成する第１ＬＣＤ１３ａと第２ＬＣＤ１３ｂと、第１ＬＣＤ１３ａ，第２ＬＣＤ１３ｂに対応付けられ、対応する第１ＬＣＤ１３ａ、第２ＬＣＤ１３ｂの輝度を制御する複数のドライバ１４ａ，１４ｂと、第１ＬＣＤ１３ａの輝度を基準とし、第２ＬＣＤ１３ｂの輝度を、基準の輝度に補正するための補正部３２を備える。【選択図】図２
2017116587.tif 000002
【特許請求の範囲】
【請求項１】
隣接させて、１つの表示領域を構成する複数の液晶ディスプレイと、
各前記液晶ディスプレイに対応付けられ、対応する前記液晶ディスプレイの輝度を制御する複数のドライバと、
一の前記液晶ディスプレイの輝度を基準とし、一の前記液晶ディスプレイ以外の他の前記液晶ディスプレイの輝度を、前記基準の輝度に補正するための補正手段と
を備える表示装置。
【請求項２】
複数の前記液晶ディスプレイが隣接する境界近傍において、前記液晶ディスプレイの境界を含み、前記境界を形成する複数の前記液晶ディスプレイを跨ぐように構成される前記表示領域よりも小さいサンプル領域を具備する請求項１に記載の表示装置。
【請求項３】
前記サンプル領域は、濃色で表示される請求項２に記載の表示装置。
【請求項４】
前記補正手段は、一の前記液晶ディスプレイの輝度と、他の前記液晶ディスプレイの輝度とに所定の輝度差があると判定した場合には、他の前記液晶ディスプレイの輝度を前記基準の輝度に一致させるように補正値を決定し、
他の前記液晶ディスプレイの輝度は、決定された前記補正値に従って調整される請求項１から請求項３のいずれかに記載の表示装置。
【請求項５】
室内機と、
前記室内機を遠隔から操作するリモートコントローラに設けられる請求項１から請求項４のいずれかに記載の表示装置と、
室外機と
を具備する空気調和機。
【請求項６】
隣接させて、１つの表示領域を構成する複数の液晶ディスプレイと各前記液晶ディスプレイに対応付けられ、対応する前記液晶ディスプレイを制御するドライバとを具備する表示装置の制御方法であって、
一の前記液晶ディスプレイの輝度を基準とし、一の前記液晶ディスプレイ以外の他の前記液晶ディスプレイの輝度を前記基準の輝度に一致させる工程を有する表示装置の制御方法。
【発明の詳細な説明】
【技術分野】
【０００１】
本発明は、表示装置、及びそれを備えた空気調和機、並びに表示装置の制御方法に関するものである。
【背景技術】
【０００２】
従来、複数のＬＣＤ（Ｌｉｑｕｉｄ  Ｃｒｙｓｔａｌ  Ｄｉｓｐｌａｙ；液晶ディスプレイ）を用いて１つの画面を構成する画像表示機器において、画面遷移をよりスムーズにするため、ＣＰＵ（Ｃｅｎｔｒａｌ  Ｐｒｏｃｅｓｓｉｎｇ  Ｕｎｉｔ）に大きな負担がかからないよう、各ＬＣＤに対して１つの駆動ドライバを用いている。
特許文献１には、１枚の液晶パネルで形成される画面を複数に分割してデューティの異なる複数の表示部を出力特性に応じた駆動電圧で駆動することが記載されている。
【先行技術文献】
【特許文献】
【０００３】
【特許文献１】特開２００５−２６６３８９号公報
【発明の概要】
【発明が解決しようとする課題】
【０００４】
しかしながら、上記特許文献１のような方法では、それぞれのＬＣＤに対し、表示画面の濃淡を決める電圧となる基準電圧をそれぞれ個別に制御する必要があり、複数のＬＣＤを用いて１つの画面を表現する場合には、ＬＣＤのつなぎ目が目立ったり、画面の濃淡に微妙な差が生じるという問題があった。また、ＬＣＤや周辺部品の経年劣化等により、時間経過に伴い濃淡差が生じることも問題であった。
【０００５】
本発明は、このような事情に鑑みてなされたものであって、１つの画面を構成する複数のＬＣＤにおける濃淡差を簡便に低減させることのできる表示装置、及びそれを備えた空気調和機、並びに表示装置の制御方法を提供することを目的とする。
【課題を解決するための手段】
【０００６】
上記課題を解決するために、本発明は以下の手段を採用する。
本発明は、隣接させて、１つの表示領域を構成する複数の液晶ディスプレイと、各前記液晶ディスプレイに対応付けられ、対応する前記液晶ディスプレイの輝度を制御する複数のドライバと、一の前記液晶ディスプレイの輝度を基準とし、一の前記液晶ディスプレイ以外の他の前記液晶ディスプレイの輝度を、前記基準の輝度に補正するための補正手段とを備える表示装置を提供する。
【０００７】
本発明の構成によれば、複数の液晶ディスプレイを隣接させて１つの表示領域が構成され、各液晶ディスプレイはそれぞれに対応したドライバによって、一の液晶ディスプレイの輝度を基準とし、一の液晶ディスプレイ以外の他の液晶ディスプレイの輝度が基準の輝度に補正される。
液晶ディスプレイの輝度は液晶ディスプレイに設定される電圧値に応じて異なる。本発明によれば、部品のバラつきや経年劣化等により複数の液晶ディスプレイそれぞれが全く同値の電圧値を出力することが困難であっても、一の液晶ディスプレイの輝度を基準に他の液晶ディスプレイの輝度を補正するための補正手段が設けられているので、液晶ディスプレイに対応するドライバをそれぞれ制御することにより、複数の液晶ディスプレイで構成される１つの表示領域内のコントラストの差異を補正できる。これにより、隣接させた液晶ディスプレイのつなぎ目を目立たなくさせたり、画面の濃淡差を低減させたりすることができる。
【０００８】
上記表示装置は、複数の前記液晶ディスプレイが隣接する境界近傍において、前記液晶ディスプレイの境界を含み、前記境界を形成する複数の前記液晶ディスプレイを跨ぐように構成される前記表示領域よりも小さいサンプル領域を具備してもよい。
【０００９】
表示領域全体に基づいて補正をするよりも、サンプル領域に着目することにより、簡便に補正できる。
【００１０】
上記表示装置の前記サンプル領域は、濃色で表示されてもよい。
【００１１】
濃色が用いられることにより、他の前記液晶ディスプレイの輝度と、前記基準の輝度との濃淡差が判断しやすくなる。
【００１２】
上記表示装置は、一の前記液晶ディスプレイの輝度を基準とし、一の前記液晶ディスプレイの輝度と、一の前記液晶ディスプレイ以外の他の前記液晶ディスプレイの輝度とに所定の輝度差があると判定された場合には、他の前記液晶ディスプレイの輝度を一の前記基準の輝度に一致させるように各前記ドライバを制御する制御手段を具備してもよい。
【００１３】
これにより、複数の液晶ディスプレイを隣接させて構成された１つの表示領域の輝度差を簡便に補正し、濃淡差を低減することができる。
【００１４】
本発明は、室内機と、前記室内機を遠隔から操作するリモートコントローラに設けられる上記いずれかに記載の表示装置と、室外機とを具備する空気調和機を提供する。
【００１５】
本発明は、隣接させて、１つの表示領域を構成する複数の液晶ディスプレイと各前記液晶ディスプレイに対応付けられ、対応する前記液晶ディスプレイを制御するドライバとを具備する表示装置の制御方法であって、一の前記液晶ディスプレイの輝度を基準とし、一の前記液晶ディスプレイ以外の他の前記液晶ディスプレイの輝度を前記基準の輝度に一致させる工程を有する表示装置の制御方法を提供する。
【発明の効果】
【００１６】
本発明は、１つの画面を構成する複数のＬＣＤにおける濃淡差を簡便に低減できるという効果を奏する。
【図面の簡単な説明】
【００１７】
【図１】本発明の第１実施形態に係る空気調和機の概略構成図である。
【図２】本発明の第１実施形態に係る空気調和機のリモコンの構成図である。
【図３】本発明の第１実施形態に係る空気調和機のリモコンの画面例である。
【図４】本発明の第１実施形態に係る空気調和機のリモコンの他の画面例である。
【図５】本発明の第１実施形態に係る空気調和機の動作フローである。
【図６】本発明の第１実施形態に係る空気調和機のリモコンの他の画面例である。
【図７】本発明の第２実施形態に係るリモコンの構成図である。
【発明を実施するための形態】
【００１８】
以下に、本発明の実施形態に係る表示装置、及びそれを備えた空気調和機、並びに表示装置の制御方法について図面を参照して説明する。本実施形態においては、電源保護装置は、空気調和システムの室内機の制御装置における電源と接続される基板に設けられることとして説明するが、本発明はこれに限定されない。
【００１９】
〔第１実施形態〕
図１には、本発明の実施形態に係る空気調和機１の外観斜視図の一例が示されている。空気調和機１は、室外ユニット２と室内ユニット３とを備えて構成されている。室外ユニット２は、屋外の適所に設置され、また、室内ユニット３は、室内の壁面等に据付け板４を介して設置されるものであり、この室外ユニット２と室内ユニット３は、内外接続配管５および図示省略の信号線等を介して接続されることにより一体化され、リモートコントローラ（以下「リモコン」という）６によって運転操作されるようになっている。
【００２０】
室外ユニット２には、公知の如く、圧縮機、室外熱交換器、室外送風機、四方切換弁、膨張弁および室外コントローラ等の室外側機器類が収容設置されるとともに、室内ユニット３には、室内熱交換器、室内送風機、室内コントローラ等の室内側機器類が収容設置されている。これら圧縮機、室外熱交換器、四方切換弁、膨張弁、室内熱交換器等が、内外接続配管５を含む冷媒配管を介して順次配管接続されることにより、密閉サイクルとされた公知の冷凍サイクルが構成されている。
【００２１】
また、室内ユニット３は、上面（および／または前面）に設けられている吸込みグリル７から室内空気を吸込み、その空気を室内熱交換器（図示略）により冷却または加熱して温調した後、送風機を介して下部の吹出し口８から室内に吹出すことにより、室内の空調に供する構成とされている。
【００２２】
図２は、本実施形態に係るリモコン６の構成図である。
リモコン６は、表示装置１０と、操作部１１とを備えている。
操作部１１は、例えば、図２に示されるように空気調和機１の操作者によって操作される［ハイパワー］ボタン、［運転／停止］ボタン、及び［省エネ］ボタンを備えており、ボタンを介して入力された指令を制御装置１５等に出力する。例えば、操作者は、空気調和機１の運転を開始させる場合に、操作部１１に設けられる［運転／停止］ボタンを押すことにより、運転開始指令が制御装置１５に入力され、制御装置１５が空気調和機１の運転を開始させる指令を出力する。
【００２３】
表示装置１０は、第１ＬＣＤ（Ｌｉｑｕｉｄ  Ｃｒｙｓｔａｌ  Ｄｉｓｐｌａｙ、一の液晶ディスプレイ）１３ａと、第２ＬＣＤ（一の液晶ディスプレイ以外の他の液晶ディスプレイ）１３ｂと、ＬＣＤドライバ１４ａ，１４ｂと、制御装置１５とを備えている。
以下の説明において、第１ＬＣＤ１３ａ，第２ＬＣＤ１３ｂ及びＬＣＤドライバ１４ａ，１４ｂは、区別する場合には末尾にａ，ｂを付し、特に区別しない場合には、ａ，ｂを省略してＬＣＤ１３やＬＣＤドライバ１４と示す。
第１ＬＣＤ１３ａ，第２ＬＣＤ１３ｂは、それぞれ対応するＬＣＤドライバ１４ａ，１４ｂによって制御される。第１ＬＣＤ１３ａと第２ＬＣＤ１３ｂは、隣接して配置されており、１つの表示領域２０を構成している。第１ＬＣＤ１３ａは、表示領域２０の上側領域とし、第２ＬＣＤ１３ｂは、表示領域２０の下側領域として配置されている。
【００２４】
本実施形態においては、２つのＬＣＤを隣接させて１つの表示領域を構成しているが、表示領域を構成するために隣接させるＬＣＤの個数はこれに限定されず、３つ以上であってもよい。
【００２５】
ＬＣＤドライバ１４、それぞれ対応するＬＣＤ１３と制御線で接続され、対応するＬＣＤ１３を制御する。ＬＣＤドライバ１４ａ，１４ｂ、制御装置１５には、３．３［Ｖ］の電源が接続されている。
ＬＣＤドライバ１４は、制御装置１５から取得した指令に基づいて、負荷（例えば、ＬＣＤに設定される輝度）に応じた電圧値の電圧１０［Ｖ］〜１８［Ｖ］を、制御線を介してＬＣＤ１３に供給する。
また、ＬＣＤドライバ１４は、ＬＣＤ１３の情報を処理する制御装置１５のＣＰＵ負担を低減させるために、ＬＣＤ１３に応じて、それぞれを設けられている。
【００２６】
ＬＣＤ１３の輝度設定において、例えば、輝度設定レベル１〜１０のうち、レベル１に対応する電圧値が１０［Ｖ］であり、制御装置１５はＬＣＤドライバ１４からＬＣＤ１３に１０［Ｖ］の電圧を供給する指令が出力された場合を検討する。各ＬＣＤドライバ１４に対し、１０［Ｖ］の電圧供給指令が出力されても、機器の個体差や経年劣化等の原因によって、ＬＣＤドライバ１４ａから第１ＬＣＤ１３ａに実際に供給される電圧は１０．１［Ｖ］となり、ＬＣＤドライバ１４ｂから第２ＬＣＤ１３ｂに実際に供給される電圧値が１０．０［Ｖ］になる、といったように誤差が生じることがある。電圧値に誤差が生じると、表示領域２０の輝度に誤差が生じ、結果的にリモコン６の画面上の濃淡に差が生じる。本実施形態においては、このような誤差を補正し、複数のＬＣＤ１３の濃淡差を低減させる。
【００２７】
制御装置１５は、例えば、図示しないＣＰＵ（中央演算装置）、ＲＡＭ（Ｒａｎｄｏｍ  Ａｃｃｅｓｓ  Ｍｅｍｏｒｙ）、及びコンピュータ読み取り可能な記録媒体等から構成されている。後述の各種機能を実現するための一連の処理の過程は、プログラムの形式で記録媒体等に記録されており、このプログラムをＣＰＵがＲＡＭ等に読み出して、情報の加工・演算処理を実行することにより、後述の各種機能が実現される。
【００２８】
具体的には、制御装置１５は、制御部３１と補正部（補正手段）３２を備えている。
制御部３１は、入力された指令を取得するとともに、取得した指令に従ってＬＣＤドライバ１４ａ，１４ｂ、及びＬＣＤドライバ１４ａ，１４ｂの輝度を制御する。
補正部３２は、一の液晶ディスプレイ（例えば、１３ａ）の輝度を基準とし、一の液晶ディスプレイ以外の他の液晶ディスプレイ（例えば、１３ｂ）の輝度を、基準の輝度となるように補正する。
【００２９】
また、本実施形態に係るリモコン６の表示領域２０は、表示させる機能だけでなく、タッチパネル等の入力機能を組み合わせた装置とし、画面上の表示ボタンを押すことにより、空気調和機１の操作や、画面表示を切り替えることができる。
例えば、空気調和機１の操作者は、リモコン６の操作によって表示領域２０のコントラスト設定画面（図３参照）において、表示装置１０の表示領域２０を目視し、表示領域２０を構成する複数のＬＣＤ１３間で濃淡差があると認識した場合に、［▲濃］ボタンまたは［▼淡］ボタンを押すことによって、表示領域２０の全体の濃淡差、すなわち、輝度差を調整する。
【００３０】
また、図３のコントラスト設定画面の右上に配置されている［上下個別］ボタンを押すことにより、図４に示されるようなサンプル領域５０が表示される。図４の表示領域２０の中央（ＬＣＤ１３を隣接させた境界近傍）には直線が描かれているが、これはＬＣＤ１３の区切れ目の理解を容易にするための想像線Ｘであって、実際には表示領域２０上には線が描かれることはない。
サンプル領域５０は、複数のＬＣＤ１３が隣接する境界近傍において、ＬＣＤ１３の境界を含み、境界を形成する複数のＬＣＤ１３を跨ぐように構成される表示領域２０よりも小さい領域とする。
【００３１】
サンプル領域５０は、表示領域２０内で表示される色が濃い状態と、表示領域２０内で表示される色が淡い状態との複数色を組み合わせて構成するとよい。例えば、表示領域２０がモノクロで表されている場合には、最も濃い状態として黒色部と、最も淡い状態として白色部とを設ける。本実施形態においては、サンプル領域５０は、最も濃い色と最も淡い色の２色で示すこととして説明するが、これに限定されず、サンプル領域５０は１色としてもよいし、３色以上であってもよい。
【００３２】
サンプル領域５０において、上側（第１ＬＣＤ１３ａ）と下側（第２ＬＣＤ１３ｂ）とで濃淡差がない場合には、サンプル領域５０に区切れ目が見えることはないが、上側と下側とで濃淡差が生じている場合には、想像線Ｘの位置に区切れ目が見えることとなる。区切れ目の有無を判断するには、サンプル領域５０は濃色を用いた方がよい。
【００３３】
以下に、本実施形態に係る空気調和機１の作用について図１から図６を用いて説明する。図５は、本実施形態の空気調和機１の作用を説明するための動作フローである。
空気調和機１の運転中において、リモコン６は、図６のような表示がされている場合に、空気調和機１の操作者が表示装置１０の表示領域２０内のコントラストに違和感があると判断した場合に、コントラスト設定を行うための画面操作を行うと、表示領域２０には図３のようなコントラスト設定画面が表示される。表示領域２０中の［▲濃］ボタンまたは［▼淡］ボタンが押されることにより、表示領域２０の濃淡設定が全体的に一括で変更される（図５のステップＳＡ１）。表示領域２０を構成する第１ＬＣＤ１３ａと第２ＬＣＤ１３ｂの濃淡差の有無が判定され（図５のステップＳＡ２）、濃淡差があると判定された場合には、図３の表示領域２０の右上の［上下個別］ボタンが押される。濃淡差がないと判定された場合には、ステップＳＡ６に移行する。
【００３４】
［上下個別］ボタンが押されると、制御装置１５は、図４に示されるような表示領域２０をＬＣＤ１３毎に上下個別に設定するためのコントラスト上下個別画面を表示領域２０に表示させる。（図５のステップＳＡ３）。操作者は、表示された表示領域２０を目視し、上側の第１ＬＣＤ１３ａの輝度を基準とし、下側の第２ＬＣＤ１３ｂの輝度が第１ＬＣＤ１３ａの輝度に一致するように、［▲濃］ボタンまたは［▼淡］ボタンを押す。例えば、サンプル領域５０の第１ＬＣＤ１３ａの輝度が低く（色が濃い）、第２ＬＣＤ１３ｂの輝度が高い（色が淡い）場合に、［▲濃］ボタンを適宜押すことによって、第２ＬＣＤ１３ｂの輝度を徐々に低く（色濃く）させる。このように、操作者は、「上下個別」ボタンを押すことにより、所望のタイミングで、基準とするＬＣＤ１３に対して、基準と異なる輝度となっているＬＣＤ１３の輝度を補正することができる。
【００３５】
表示領域２０を介して［▲濃］ボタンが押されることで、制御装置１５は、ＬＣＤ１３ｂの輝度を下げるように（電圧値を上げるように）ＬＣＤドライバ１４ｂを制御する。また、表示領域２０を介して［▼淡］ボタンが押された場合には、制御装置１５は、ＬＣＤ１３ｂの輝度を上げるように（電圧値を下げるように）ＬＣＤドライバ１４ｂを制御する。ＬＣＤドライバ１４ｂは対応する第２ＬＣＤ１３ｂに対し、制御指令に応じた所定の電圧を供給させることで、第２ＬＣＤ１３ｂの濃淡調整がなされ、コントラストが調整される（図５のステップＳＡ４）。
【００３６】
表示領域２０を構成する第１ＬＣＤ１３ａと第２ＬＣＤ１３ｂの濃淡差の有無が判定され（図５のステップＳＡ５）、濃淡差がないと判定された場合には、設定を完了する［セット］ボタンが押される（図５のステップＳＡ５）ことにより、本処理が終了される。また、第１ＬＣＤ１３ａと第２ＬＣＤ１３ｂの濃淡が一致していないと判定された場合には、ステップＳＡ４が繰り返される。
【００３７】
以上説明してきたように、本実施形態に係る表示装置１０、及びそれを備えた空気調和機１、並びに表示装置１０の制御方法の製造方法によれば、第１ＬＣＤ１３ａと第２ＬＣＤ１３ｂを隣接させて１つの表示領域２０が構成され、各ＬＣＤ１３はそれぞれに対応したＬＣＤドライバ１４ａ，１４ｂによって、輝度が設定される。
各ＬＣＤ１３ａ，１３ｂの輝度はＬＣＤに設定される電圧値に応じて異なる。本実施形態によれば、部品のバラつき、経年劣化等により複数のＬＣＤのそれぞれが全く同値の電圧値を出力することが困難であっても、第１ＬＣＤ１３ａの輝度を基準に第２ＬＣＤ１３ｂの輝度を補正するための補正部３２が設けられているので、ＬＣＤ１３に対応するＬＣＤドライバ１４をそれぞれ制御することにより、複数のＬＣＤ１３で構成される１つの表示領域２０内の濃淡（コントラスト）の差異を補正できる。これにより、隣接させたＬＣＤ１３のつなぎ目を目立たなくさせ、画面の濃淡差を低減させることができる。
【００３８】
また、表示領域２０の全体の表示に基づいて補正してもよいが、濃淡の組み合わせで構成されたサンプル領域５０に着目して補正することによって、より簡便に補正できる。
サンプル領域５０には濃色が用いられることにより、他のＬＣＤ１３（例えば、第２ＬＣＤ１３ｂ）の輝度と、基準となるＬＣＤ１３（例えば、第１ＬＣＤ１３ａ）の輝度との濃淡差が判断しやすくなる。これにより、複数のＬＣＤ１３を隣接させて構成された１つの表示領域２０の輝度差を簡便に補正し、濃淡差を可及的に低減することができる。
【００３９】
〔第２実施形態〕
次に、本発明の第２実施形態について図７を用いて説明する。第１実施形態においては人間によって濃淡調整の判断を行っていたが、これに代えて、本実施形態においては、補正部３２’によって濃淡調整をするか否かの判断を行う。以下、本実施形態について、第１実施形態と共通する点については説明を省略し、異なる点について主に説明する。
【００４０】
図７に示されるように、本実施形態に係る制御装置１５’は、制御部３１’と補正部３２’とを備えている。
補正部３２’は、一の液晶ディスプレイ（例えば、１３ａ）の輝度を基準とし、一の液晶ディスプレイの輝度と、一の液晶ディスプレイ以外の他の液晶ディスプレイ（例えば、１３ｂ）の輝度とに所定の輝度差があると判定した場合には、他の液晶ディスプレイ（例えば、１３ｂ）の輝度を基準の輝度に一致させる補正値を決定する。
制御部３１’は、ＬＣＤドライバ１４ｂを制御し、第２ＬＣＤ１３ｂの輝度が、決定された補正値に従って調整される。
【００４１】
表示装置１０の輝度は、各ＬＣＤドライバ１４から制御されるそれぞれのＬＣＤ１３の電圧値に基づいて決定されることを勘案し、上記所定の輝度差は、複数のＬＣＤ１３間の電圧差に基づいて算出されるものとする。
【００４２】
以下に、本実施形態に係る空気調和機１の作用について説明する。ここでは、第１ＬＣＤ１３ａの輝度を基準とし、第２ＬＣＤ１３ｂの輝度を基準の輝度に一致させるように制御する場合を例に挙げて説明する。
入力装置や外部入力等を介して、リモコン６の表示装置１０の輝度調整を開始する指令を取得すると、第１ＬＣＤ１３ａの輝度と、他のＬＣＤである第２ＬＣＤ１３ｂの輝度との輝度差が演算され、所定の輝度差以上か否かが判定される。所定の輝度差未満であれば、輝度差がないと判定され、輝度の補正は行われない。
【００４３】
所定の輝度差以上であると判定された場合には、第１ＬＣＤ１３ａの輝度を基準とし、第２ＬＣＤ１３ｂの輝度が第１ＬＣＤ１３ａの輝度に一致するように、ＬＣＤドライバ１４ｂに対応する第２ＬＣＤ１３ｂの輝度を補正する補正値が決定され、補正指令が出力される。ＬＣＤドライバ１４ｂは、対応する第２ＬＣＤ１３ｂの輝度を補正値と補正指令に基づいて制御し、第１ＬＣＤ１３ａの輝度に一致するように出力電圧を調整する。
このように、複数のＬＣＤ１３を隣接させて構成された１つの表示領域の輝度（コントラスト）差を、制御装置１５の補正部３２’によって簡便に補正し、濃淡差を低減することができる。
【００４４】
なお、本発明は上述した実施形態に限定されることはなく、その要旨を逸脱しない範囲内において適宜変更することができる。例えば、第１実施形態と第２実施形態とを組み合わせてもよい。
【００４５】
１  空気調和機
６  リモコン
１３ａ，１３ｂ  ＬＣＤ（液晶ディスプレイ）
１４ａ，１４ｂ  ＬＣＤドライバ（ドライバ）
１５、１５’  制御装置
２０  表示領域
３２、３２’  補正部
【図１】
2017116587.tif 000003
【図２】
2017116587.tif 000004
【図３】
2017116587.tif 000005
【図４】
2017116587.tif 000006
【図５】
2017116587.tif 000007
【図６】
2017116587.tif 000008
【図７】
2017116587.tif 000009